(57)【要約】【課題】開時におけるカップホルダ本体のインストルメントパネル表面からの突出量を小さくすると共に、開口部を小さくすることができるようにする。【解決手段】インストルメントパネル１に形成された開口部３に水平軸４を中心としてカップホルダ本体２ａが回転可能に取付けられ、水平軸４は開口部３の側面視上下方向略中央位置に設定され、カップホルダ本体２ａは底壁５と側壁６とを有しており、閉時には、底壁５は開口部３の蓋体となると共に、少なくとも手前側の側壁６ａが低くなり、開時には、手前側の側壁６ａが上昇するよう構成している。【選択図】        図１
2004299430.tif 000002
【特許請求の範囲】
【請求項１】
インストルメントパネルに形成された開口部に水平軸を中心としてカップホルダ本体が回転可能に取付けられ、
前記水平軸は開口部内の側面視上下方向略中央位置に設定され、
前記カップホルダ本体は底壁と側壁とを有しており、
閉時には、前記底壁は開口部の蓋体となると共に、少なくとも手前側の側壁が低くなり、
開時には、手前側の側壁が上昇するよう構成されたことを特徴とするカップホルダ。
【請求項２】
手前側の側壁は、飲料を乗せると上昇することを特徴とする請求項１記載のカップホルダ。
【発明の詳細な説明】
【０００１】
【発明の属する技術分野】
この発明は、カップホルダに関するものである。
【０００２】
【従来の技術】
自動車などの車両には、車室内にカップホルダが設けられている。このようなカップホルダには、回転式のものが存在する（例えば、特許文献１参照）。
【０００３】
このような回転式のカップホルダは、底壁と側壁とを有するカップホルダ本体を、インストルメントパネルに形成された開口部に水平軸を中心として回転可能に取付けたものである。
【０００４】
【特許文献１】
特開平１１−４２９６４号公報
【０００５】
【発明が解決しようとする課題】
しかしながら、回転式のカップホルダでは、開時におけるカップホルダ本体のインストルメントパネル表面からの突出量が大きくなると共に、開口部が大きくなるという問題があった。
【０００６】
そこで、本発明の目的は、上記の問題点を解消し、開時におけるカップホルダ本体のインストルメントパネル表面からの突出量を小さくすると共に、開口部を小さくすることのできるカップホルダを提供することにある。
【０００７】
【課題を解決するための手段】
上記課題を解決するために、請求項１に記載された発明では、インストルメントパネルに形成された開口部に水平軸を中心としてカップホルダ本体が回転可能に取付けられ、前記水平軸は開口部内の側面視上下方向略中央位置に設定され、前記カップホルダ本体は底壁と側壁とを有しており、閉時には、前記底壁は開口部の蓋体となると共に、少なくとも手前側の側壁が低くなり、開時には、手前側の側壁が上昇するよう構成されたカップホルダを特徴としている。
【０００８】
このように構成された請求項１にかかる発明によれば、インストルメントパネルに形成された開口部に水平軸を中心としてカップホルダ本体を回転可能に取付けると共に、水平軸を開口部の側面視上下方向略中央位置に設定したことにより、インストルメントパネルの表面からの突出量を少なくすることができる。また、閉時には、底壁が開口部の蓋体となるようにしたことにより、見栄え良くインストルメントパネルにカップホルダ本体を納めることができる。更に、閉時には少なくとも手前側の側壁が低くなり、開時には手前側の側壁が上昇するように構成したことにより、カップホルダ本体の回転軌跡を小さくしてインストルメントパネル内部に対する設置スペースを小さくすることができる。
【０００９】
請求項２に記載された発明では、手前側の側壁は、飲料を乗せると上昇する請求項１記載のカップホルダを特徴としている。
【００１０】
このように構成された請求項２にかかる発明によれば、飲料を乗せると手前側の側壁が上昇するようにしたことにより、飲料の自重を利用して、閉時には少なくとも手前側の側壁が低くなり、開時には手前側の側壁が上昇するようにすることができ、手前側の側壁の昇降の手間をなくすことができる。
【００１１】
【発明の実施の形態】
以下、本発明を具体化した実施の形態について、図示例と共に説明する。
【００１２】
図１〜図６は、この発明の実施の形態を示すものである。
【００１３】
まず、構成を説明すると、この実施の形態では、自動車などの車両における車室内のインストルメントパネル１の部分に回転式のカップホルダ２を設ける。
【００１４】
即ち、インストルメントパネル１に形成された開口部３に水平軸４を中心としてカップホルダ本体２ａを回転可能に取付ける。ここで、水平軸４は開口部３の側面視上下方向略中央位置に設定する。また、水平軸４はインストルメントパネル１の表面よりも内側位置に設定する。なお、水平軸４は、インストルメントパネル１の表面に沿って水平方向に延設されている。
【００１５】
上記カップホルダ本体２ａは底壁５と側壁６とを有している。そして、閉時には、底壁５は開口部３の蓋体となるよう構成されている。この際、底壁５は、インストルメントパネル１と略面一となるよう設定される。
【００１６】
更に、カップホルダ本体２ａの閉時には、少なくとも手前側の側壁６ａが低くなり、カップホルダ本体２ａの開時には、手前側の側壁６ａが上昇するよう構成されている。
【００１７】
特に、手前側の側壁６ａは、飲料を乗せると高さが上昇するよう構成されている。
【００１８】
上記を具体化するために、上記カップホルダ２を、飲料を収容するカップホルダ本体２ａと、開口部３に取付けられると共にカップホルダ本体２ａを水平軸４を中心として回転自在に保持するカップホルダケース部２ｂとで構成する。なお、水平軸４はカップホルダ本体２ａの両側面から突設される。
【００１９】
上記したカップホルダ本体２ａとカップホルダケース部２ｂとの間には、カップホルダ本体２ａを開方向へ付勢する付勢装置３１が取付けられている。この付勢装置３１は、例えばコイルバネなどで構成する。このコイルバネは、水平軸４に外嵌されると共に、一端をカップホルダ本体２ａに係止され、他端をカップホルダケース部２ｂに係止される。
【００２０】
そして、カップホルダ本体２ａとカップホルダケース部２ｂとの間には、付勢装置３１によるカップホルダ本体２ａの開速度を減衰するダンパ機構３２が取付けられている。ダンパ機構３２の詳細構造については省略する。
【００２１】
更に、カップホルダ本体２ａとカップホルダケース部２ｂとの間には、カップホルダ本体２ａをプッシュオープンさせる開閉機構が設けられている。開閉機構は図示しないラッチ機構とこのラッチ機構に把持・開放される爪部３３とで構成されている。ラッチ機構については特に図示しない。
【００２２】
そして、カップホルダ本体２ａとカップホルダケース部２ｂとの間には、カップホルダ本体２ａの開位置を規制するストッパ機構３５が設けられている。このストッパ機構３５は、カップホルダ本体２ａに設けられた爪部３６と、カップホルダケース部２ｂに設けられて爪部３６を案内するガイド孔３７とで構成されている。
【００２３】
そして、カップホルダ本体２ａは、内殻１１と外殻１２との間に中空部１３を有する中空二重構造とする。カップホルダ本体２ａを中空二重構造とするために、カップホルダ本体２ａは分割構造とする。なお、カップホルダ本体２ａの分割位置や分割形状などは適宜のものとする。
【００２４】
ここで、カップホルダ本体２ａは、奥側の側壁６ｂに比べて手前側の側壁６ａを低く構成する。即ち、奥側の側壁６ｂは飲料を収容するのに必要な高さとし、手前側の側壁６ａは飲料を収容するのに必要な高さよりも低くする。即ち、カップホルダ本体２ａの回転軌跡を考慮した高さとする。そして、左右の側壁６ｃは、奥側の側壁６ｂと手前側の側壁６ａとの間を繋ぐ傾斜面や段差面などとする（この実施の形態では傾斜面となっている）。そして、カップホルダ本体２ａの手前側の側壁６ａの内部に、手前側の側壁６ａの一部として機能する昇降壁部材１６を昇降可能に設置し、昇降壁部材１６を昇降機構１５を介して手前側の側壁６ａの上端に対し突出収納可能とする。
【００２５】
ここで、昇降壁部材１６は、その下端の両側部に連結軸１７を一体に突出形成されている。連結軸１７は、水平軸４と平行な方向に延設されている。
【００２６】
そして、昇降機構１５は、昇降壁部材１６下端の連結軸１７にその先端を軸支された傾動部材１８を備えている。この傾動部材１８はカップホルダ本体２ａの中空部１３に収容されている。そして、傾動部材１８は、平面視略コ字状の二又アーム１９を有しており、二又アーム１９の先端にて上記連結軸１７を軸支している。この二又アーム１９は左右の側壁６ｃの内部にて傾動可能とされている。そして、傾動部材１８は二又アーム１９後端の連結部２０に一対の支持軸２１を一体に突出形成されている。支持軸２１は連結軸１７と平行な方向に延設されている。そして、連結部２０は底壁５の内部に配設されており、支持軸２１が底壁５の内殻１１底面に形成した支軸部２２に軸支されている。なお、支軸部２２はクリップ形状をしており、支持軸２１をワンタッチで嵌合保持可能とされている。
【００２７】
更に、傾動部材１８の連結部２０の後部には、操作端２３が一体に突出形成され、この操作端２３は底壁５の内殻１１に形成した貫通孔２４から上方へ突出されている。そして、傾動部材１８には、昇降壁部材１６が下降する方向へ付勢する戻りバネ２５などの付勢手段が介装されている。戻りバネ２５は、例えばコイルバネなどで構成する。このコイルバネは、支軸部２２に外嵌されると共に、その一端を傾動部材１８に係止され、他端をカップホルダ本体２ａに係止される。
【００２８】
そして、カップホルダ本体２ａの側壁６の内側で且つ底壁５の内殻１１上方には底板２８が昇降可能に取付けられている。この底板２８には底面に昇降ガイド２９が設けられている。この昇降ガイド２９はカップホルダ本体２ａの底壁５の内殻１１に形成したガイド孔３０に案内されるように構成されている。そして、底板２８は操作端２３に当接して、操作端２３を操作するように構成されている。
【００２９】
次に、この実施の形態の作用について説明する。
【００３０】
図１に示すように、インストルメントパネル１と略面一となるように閉じているカップホルダ本体２ａの底壁５を押すと、図示しない開閉機構によって係止保持されていたカップホルダ本体２ａが解放される。すると、カップホルダ本体２ａとカップホルダケース部２ｂとの間に設けられた付勢装置３１の付勢力により、カップホルダ本体２ａは水平軸４を中心として回転され、図３、図４に示すように、オープンされる。この際、ダンパ機構３２によって付勢装置３１の付勢力によるカップホルダ本体２ａの開速度が減衰され、カップホルダ本体２ａは高級感のあるゆっくりとした開き方をする。そして、カップホルダ本体２ａに設けられた爪部３６が、カップホルダケース部２ｂに設けられたガイド孔３７に沿って案内されつつカップホルダ本体２ａは開いて行き、ガイド孔３７の端部に爪部３６が当った所でカップホルダ本体２ａは停止される。
【００３１】
このようにカップホルダ本体２ａが開いた状態でカップホルダ本体２ａの側壁６の内側に飲料を入れると、飲料の自重によって底板２８がガイド孔３０および昇降ガイド２９に沿って下降される。すると、底板２８によって傾動部材１８の操作端２３が下方へ押され、支持軸２１を中心として二又アーム１９の先端が上昇される。これにより、二又アーム１９の先端に連結軸１７を介して連結された昇降壁部材１６が上昇され、図５、図６に示すように、手前側の側壁６ａが所要の高さとなる。これにより、飲料を安定して保持することが可能となる。
【００３２】
飲料を持上げると、上記とは反対に、戻りバネ２５などの付勢手段により、昇降壁部材１６が下降され、図３、図４の状態となる。
【００３３】
そして、カップホルダ本体２ａを収納する場合には、上記とは反対にカップホルダ本体２ａの底壁５を下から押し上げて、付勢装置３１とダンパ機構３２に抗して水平軸４を中心に回動させる。ことれより、図１に示すように、カップホルダ本体２ａを閉じて、インストルメントパネル１内に収納することができる。
【００３４】
このようにこの実施の形態によれば、インストルメントパネル１に形成された開口部３に水平軸４を中心としてカップホルダ本体２ａを回転可能に取付けると共に、水平軸４を開口部３の側面視上下方向略中央位置に設定したことにより、インストルメントパネル１の表面からの突出量ａを少なくすることができる（図１参照）。
【００３５】
また、閉時には、底壁５が開口部３の蓋体となるようにしたことにより、見栄え良くインストルメントパネル１にカップホルダ本体２ａを納めることができる。
【００３６】
更に、閉時には少なくとも手前側の側壁６ａが低くなり、開時には手前側の側壁６ａが上昇するように構成したことにより、カップホルダ本体２ａの回転軌跡を小さくしてインストルメントパネル１内部に対する設置スペースを小さくすることができる（図６参照）。これに対し、手前側の側壁６ａを低くしなかった場合には、仮想線で示すように設置スペースが一回り大きくなる。
【００３７】
また、飲料を乗せると手前側の側壁６ａが上昇するようにしたことにより、飲料の自重を利用して、閉時には少なくとも手前側の側壁６ａが低くなり、開時には手前側の側壁６ａが上昇するようにすることができ、手前側の側壁６ａの昇降の手間をなくすことができる。
【００３８】
【発明の効果】
以上説明してきたように、請求項１の発明によれば、インストルメントパネルに形成された開口部に水平軸を中心としてカップホルダ本体を回転可能に取付けると共に、水平軸を開口部内の側面視上下方向略中央位置に設定したことにより、インストルメントパネルの表面からの突出量を少なくすることができる。また、閉時には、底壁が開口部の蓋体となるようにしたことにより、見栄え良くインストルメントパネルにカップホルダ本体を納めることができる。更に、閉時には少なくとも手前側の側壁が低くなり、開時には手前側の側壁が上昇するように構成したことにより、カップホルダ本体の回転軌跡を小さくしてインストルメントパネル内部に対する設置スペースを小さくすることができる。
【００３９】
請求項２の発明によれば、飲料を乗せると手前側の側壁が上昇するようにしたことにより、飲料の自重を利用して、閉時には少なくとも手前側の側壁が低くなり、開時には手前側の側壁が上昇するようにすることができ、手前側の側壁の昇降の手間をなくすことができる。
【図面の簡単な説明】
【図１】本発明の実施の形態における閉状態の側方断面図である。
【図２】カップホルダ本体の分解斜視図である。
【図３】開状態の斜視図である。
【図４】開状態の側方断面図である。
【図５】手前側の側壁の上昇状態の斜視図である。
【図６】手前側の側壁の上昇状態の側方断面図である。
【符号の説明】
１    インストルメントパネル
２ａ  カップホルダ本体
３    開口部
４    水平軸
５    底壁
６    側壁
６ａ  手前側の側壁
【図１】
2004299430.tif 000003
【図２】
2004299430.tif 000004
【図３】
2004299430.tif 000005
【図４】
2004299430.tif 000006
【図５】
2004299430.tif 000007
【図６】
2004299430.tif 000008